(57)【特許請求の範囲】
【請求項１】
原稿トレイから取り込まれた用紙を、略Ｕ字状の搬送路を介して排出トレイに排出する用紙搬送装置であって、
基部フレームと、
前記基部フレームの上部を開閉可能とする上部フレームと、
前記基部フレームと前記フレームとの間に設けられた中間フレームと、
前記中間フレーム側に設けられたリタードローラと、
前記上部フレーム側に設けられており、前記リタードローラとの間に前記用紙をニップすることにより、前記原稿トレイから前記搬送路内に取り込まれた前記用紙を１枚ずつ分離するセパレートローラと、
前記中間フレームに対して揺動可能に取り付けられた押圧力調整部材と、
前記押圧力調整部材に設けられた押圧板に形成されたねじ孔に挿入可能とされたねじ部材と、
前記ねじ部材を付勢するスプリングと、
前記ねじ部材の突出部付近を覆うカバー部材と、
前記中間フレームに形成された前記ねじ部材の挿入高さを調整可能とする調整孔と、
を備え、
前記カバー部材には、前記用紙の搬送方向に対して下向きに案内する斜面部が形成されており、
前記中間フレームに形成された調整孔と、前記スプリングと、前記ねじ部材と、前記押圧板に形成されたねじ孔と、前記カバー部材と、が前記略Ｕ字状の搬送路の排出口側に備えられていることを特徴とする用紙搬送装置。
【請求項２】
原稿トレイから取り込まれた用紙を、略Ｕ字状の搬送路を介して排出トレイに排出する用紙搬送装置であって、
基部フレームと、
前記基部フレームの上部を開閉可能とする上部フレームと、
前記基部フレームと前記フレームとの間に設けられており、その周囲に前記搬送路が形成されている中間フレームと、
前記中間フレーム側に設けられたリタードローラと、
前記上部フレーム側に設けられており、前記リタードローラとの間に前記用紙をニップすることにより、前記原稿トレイから前記搬送路内に取り込まれた前記用紙を１枚ずつ分離するセパレートローラと、
前記中間フレーム側に設けられた軸を中心として、前記中間フレームに対して揺動可能に取り付けられた押圧力調整部材と、
フランジを有しており、前記押圧力調整部材の前記原稿トレイ側に設けられた押圧板上のねじ孔に挿入可能とされたねじ部材と、
前記中間フレームの前記原稿トレイ側に設けられており、かつ、前記ねじ部材が前記押圧板に挿入された場合において前記フランジの上方に配置されている水平部と、前記フランジと、を、前記押圧板に挿入された前記ねじ部材の挿入高さに応じて付勢するスプリングと、
前記中間フレームの排出トレイ側端部に設けられた切欠部に配置されるとともに、前記押圧板の下側に固定されており、前記押圧板の下側から前記搬出路側に突出する前記ねじ部材の突出部付近を覆うカバー部材と、
を備え、
前記中間フレームの前記水平部は、
前記ねじ部材の挿入高さを調整可能とする調整孔、
を有しており、
前記カバー部材は、
前記用紙の搬送方向に対して下向きに傾斜する斜面部、
を有しており、
前記斜面部は、前記用紙を下向きに案内して、前記用紙を前記排出トレイに堆積させ、
前記押圧力調整部材は、前記スプリングの付勢状況に応じて揺動し、前記リタードローラを押圧することにより、前記セパレートローラと前記リタードローラとの間のニップ圧力を調整することを特徴とする用紙搬送装置。
【発明の詳細な説明】
【０００１】
【発明の属する技術分野】
本発明は、画像読取装置に設ける用紙搬送装置に関し、特に、読取部から排出される原稿を、１枚ずつ分離するためのリタードローラ押圧調整用のねじを覆うためのカバーを有する装置に関する。
【０００２】
【従来の技術】
画像形成装置等に設ける画像読取装置においては、原稿搬送路を横向きのＵ字状に形成し、原稿トレイと排出トレイとを上下に重ねる状態に配置して、搬送装置を構成する方式のものが用いられる。前記用紙搬送装置においては、原稿トレイから原稿を送り出すためのピックアップローラを原稿トレイの端部に位置させて配置し、前記ピックアップローラにより取り出された用紙を用紙さばき装置により１枚ずつ分離し、画像読取装置の読取部に向けて送り込むように構成している。
【０００３】
前記画像読取装置を小型化したものとして構成し、フラットベッドスキャナー機構（ＦＢＳ）と組み合わせて、画像形成装置の上部に配置する場合等には、前記画像読取装置の用紙搬送路を略Ｕ字状に形成し、用紙を非常に小さい半径で湾曲させて送る機構の装置として構成することが必要となる。前記Ｕ字状に構成する搬送路では、中間フレームの周囲にガイドを設けて用紙の案内を行うように構成し、前記中間フレームには用紙さばき装置のリタードローラを支持させて、上部フレームに配置するセパレートローラと対向させて配置し、両ローラの間で所定の値のニップ圧力を設定するようにしている。また、読取りが終了した原稿を排出トレイに排出するために、前記用紙搬送路の終端部に配置する排出ローラ装置を配置し、前記排出ローラ装置により送り出された原稿を、順次上に積重ねるようにしている。
【０００４】
前記用紙さばき装置をセパレートローラとリタードローラとを組み合わせたもので構成する場合に、トレイに堆積された用紙の最上紙から繰り出そうとすると、リタードローラがセパレートローラに対して下側に配置される。前記両ローラの間での押圧力（ニップ圧力）の調整は、リタードローラに対して直接行うことが必要であるため、ドライバ等を用いて調整する時には、装置の下部（あるいは内部）から行わざるを得ず、その調整作業は大変煩わしいものであった。前記中間フレームの下面からドライバーを挿入するような機構を設けざるを得なかった理由は、リタードローラに対する駆動伝達機構の構造や、中間フレーム内部に配置する押圧力付与機構の構成等の制約条件があるからである。
【０００５】
【発明が解決しようとする課題】
そして、特に、前記押圧力調整機構をリタードローラに対して直接作用するように設けることにより、中間フレームの高さ（厚さ）が大きくなる等の問題もあった。そこで、前記中間フレームの厚さの問題を解消するために、リタードローラに対する押圧力調整用の機構を、前記中間フレームの上面からねじを回すことで調整可能に構成することが考えられている。ところが、前記リタードローラの押圧力を調整する機構を、前記リタードローラの近傍に設けたねじを用いる場合には、前記中間フレームの厚さの問題は容易に解決しないことが判明した。そこで、前記リタードローラの押圧力調整を行うために、前記中間フレームの端部（トレイ側）にまで、リンクを延長して行うことが考えられている。しかしながら、特に中間フレームを薄く構成し、前記トレイの端部側にまでリンクを延長した場合には、前記調整用リンクの端部に配置する調整ねじが、排出路に向けて突出するという問題が発生するとともに、排出された用紙を排出トレイ上へ堆積させる作用にも支障が生じることが懸念されている。
【０００６】
本発明は、前記従来の用紙搬送装置において、用紙さばき機構のニップ圧力の調整部材の構成を簡素化するとともに、排出路に突出させて設けた調整ねじのカバーを、排出される用紙のガイドとして用いることを目的としている。
【０００７】
【課題を解決するための手段】
本発明は、セパレートローラとこれに対して押圧されるリタードローラとによって１枚ずつ分離し、用紙をＵターンさせた搬送し、排出ローラ装置によりトレイに向けて排出させる用紙搬送装置に関する。本発明の請求項１の発明は、原稿トレイから取り込まれた用紙を、略Ｕ字状の搬送路を介して排出トレイに排出する用紙搬送装置であって、基部フレームと、前記基部フレームの上部を開閉可能とする上部フレームと、前記基部フレームと前記フレームとの間に設けられた中間フレームと、前記中間フレーム側に設けられたリタードローラと、前記上部フレーム側に設けられており、前記リタードローラとの間に前記用紙をニップすることにより、前記原稿トレイから前記搬送路内に取り込まれた前記用紙を１枚ずつ分離するセパレートローラと、前記中間フレームに対して揺動可能に取り付けられた押圧力調整部材と、前記押圧力調整部材に設けられた押圧板に形成されたねじ孔に挿入可能とされたねじ部材と、前記ねじ部材を付勢するスプリングと、前記ねじ部材の突出部付近を覆うカバー部材と、前記中間フレームに形成された前記ねじ部材の挿入高さを調整可能とする調整孔と、を備え、前記カバー部材には、前記用紙の搬送方向に対して下向きに案内する斜面部が形成されており、前記中間フレームに形成された調整孔と、前記スプリングと、前記ねじ部材と、前記押圧板に形成されたねじ孔と、前記カバー部材と、が前記略Ｕ字状の搬送路の排出口側に備えられていることを特徴とする。また、本発明の請求項２の発明は、原稿トレイから取り込まれた用紙を、略Ｕ字状の搬送路を介して排出トレイに排出する用紙搬送装置であって、基部フレームと、前記基部フレームの上部を開閉可能とする上部フレームと、前記基部フレームと前記フレームとの間に設けられており、その周囲に前記搬送路が形成されている中間フレームと、前記中間フレーム側に設けられたリタードローラと、前記上部フレーム側に設けられており、前記リタードローラとの間に前記用紙をニップすることにより、前記原稿トレイから前記搬送路内に取り込まれた前記用紙を１枚ずつ分離するセパレートローラと、前記中間フレーム側に設けられた軸を中心として、前記中間フレームに対して揺動可能に取り付けられた押圧力調整部材と、フランジを有しており、前記押圧力調整部材の前記原稿トレイ側に設けられた押圧板に挿入可能とされたねじ部材と、前記中間フレームの前記原稿トレイ側に設けられており、かつ、前記ねじ部材が前記押圧板に挿入された場合において前記フランジの上方に配置されている水平部と、前記フランジと、を、前記押圧板に挿入された前記ねじ部材の挿入高さに応じて付勢するスプリングと、前記中間フレームの排出トレイ側端部に設けられた切欠部に配置されるとともに、前記押圧板の下側に固定されており、前記押圧板の下側から前記搬出路側に突出する前記ねじ部材の突出部付近を覆うカバー部材と、を備え、前記中間フレームの前記水平部は、前記ねじ部材の挿入高さを調整可能とする調整孔、を有しており、前記カバー部材は、前記用紙の搬送方向に対して下向きに傾斜する斜面部、を有しており、前記斜面部は、前記用紙を下向きに案内して、前記用紙を前記排出トレイに堆積させ、前記押圧力調整部材は、前記スプリングの付勢状況に応じて揺動し、前記リタードローラを押圧することにより、前記セパレートローラと前記リタードローラとの間のニップ圧力を調整することを特徴とする。そして、前述したように構成したことにより、排出路の端部にねじが突出されることがなく、用紙の排出に支障が生じることがない。
【０００８】
また、排出される用紙に対するガイド性を向上させることができる。
【０００９】
さらに、押圧力調整部材の機構を、簡単に構成することができる。
【００１０】
【発明の実施の形態】
図示される例にしたがって、本発明の用紙搬送装置を説明する。図１においては、ファクシミリ装置や画像形成装置と組み合わせて使用し、原稿の画像の読取りに用いられる自動原稿搬送装置（ＡＤＦ）１を例にして説明している。前記自動原稿搬送装置１においては、横向きの略Ｕ字状に構成した搬送路を通して用紙の搬送を行うもので、前記搬送路としては、挿入口１４ａからの搬送路１４と、湾曲路２０、および、排出トレイ７２に接続される排出路２４からなり、湾曲路２０の下部に配置しているプラテン２３の位置で、読取り装置により原稿の画像の読取りを行うように構成している。前記自動原稿搬送装置１においては、画像形成装置の上部に配置する基部フレーム２に対して、中間フレーム３０と上部フレーム３とをそれぞれ組み合わせて設けており、前記上部フレーム３は支軸４を中心に揺動可能に設け、中間フレーム３０を搬送ローラ装置１５の駆動ローラ１７の軸を中心に揺動可能に設けている。
【００１１】
前記図１に示す例において、用紙搬送路内で用紙の搬送を行うために、用紙挿入口１４ａに位置させるピックアップローラ５と、用紙さばき装置１０、搬送ローラ装置１５、大径駆動ローラ２１と複数のピンチローラ２２、２６および、排出ローラ装置２５とを配置している。前記各ローラのうち、前記上部フレーム３には、トレイから用紙を取り込むためのピックアップローラ５と、用紙さばき装置１０のセパレートローラ１１、搬送ローラ装置１５のピンチローラ１６と、大径駆動ローラ２１に対するピンチローラ２２を設けている。また、前記２つのピンチローラ１６、２２は、上部フレーム３に配置するステイ７に支持されるローラ支持フレーム８に対して、図示しない付勢用のスプリングと支持アーム部材とを介して装着され、対応する駆動ローラに対して一定の押圧力で押圧される。さらに、前記上部フレーム３には、湾曲路２０の大径ローラ２１に対向するガイド板９を配置して、前記湾曲路２０における用紙の案内を行わせる。
【００１２】
前記中間フレーム３０には、原稿トレイ７１に接続される用紙挿入口１４ａの下ガイド板としての上カバー３５（図２参照）と、用紙さばき装置１０のリタードローラ１２、搬送ローラ装置１５の駆動ローラ１７および、排出ローラ装置２５の駆動ローラ２７とを設けている。また、前記基部フレーム２には、用紙搬送路の湾曲部２０で搬送作用を行うための大径駆動ローラ２１とピンチローラ２２ａおよび、排出ローラ装置２５のピンチローラ２６とを配置し、前記基部フレーム４には読取部と排出側の搬送路２４のガイド板部材を配置している。そして、前述したような構成を有する装置では、用紙搬送路内での用紙のジャム処理や搬送ローラ装置１５のニップ部のニップ圧力の調整、その他のメンテナンスを行う際に、上部のフレームから順次開放することにより用紙搬送路を開放したり、各構成部材を露出させるようにして、作業を行うことができるようにする。
【００１３】
前記自動原稿搬送装置１においては、用紙搬送路に沿って用紙の搬送を行うために、用紙挿入口１４ａのトレイ５に対応させて配置するピックアップローラ５により用紙を取り込んで、搬送路１４に向けて送り込むようにする。そして、用紙さばき装置１０のセパレートローラ１１とリタードローラ１２との間で用紙に対するさばき作用を付与し、１枚の用紙のみを搬送ローラ装置１５に向けて送り込む。前記搬送ローラ装置１５により搬送される用紙は、用紙搬送路の湾曲部２０で大径駆動ローラ２１とピンチローラ２２の間でニップされて、プラテン２３の読取部を通過し、ピンチローラ２２ａとのニップ部を通って、排出路２４から駆動ローラ２７とピンチローラ２６を対向させて設けた排出ローラ装置２５により、排出トレイに向けて送り出される。また、前記用紙さばき装置１０のリタードローラ１２に対しては、セパレートローラ１１との間でのニップ圧力の調整を行うために、押圧力調整機構５０を配置しており、給紙装置における用紙さばき作用の実施状態に応じて、両ローラの間でのニップ圧力を調整できるようにしている。
【００１４】
図２には、前記自動原稿搬送装置１に配置する中間フレーム３０の構成を示しているもので、中間フレーム３０を板金で構成したフレーム枠体３１と、その上部に配置するガイド板としての上カバー３５とを組み合わせて構成し、搬送ローラ装置１５の駆動ローラ１７の軸１８を中心にして揺動可能に設けている。前記中間フレーム３０に配置するリタードローラ１２に対する駆動を行うために、伝導用リンク４０に支持される伝導ギヤ群４２を配置しており、搬送ローラ装置１５の駆動ローラ１７の軸１８に設けたギヤから、前記ギヤ群４２を介して駆動伝達を行う。そして、搬送ローラ装置１５の駆動ローラ１７の軸１８に伝達される駆動力を、前記伝導ギヤ群４２を介して端部の出力ギヤ４３に伝達し、前記出力ギヤ４３からリタードローラ１２の軸１３に設けたギヤに噛合せて、リタードローラ１２に対する駆動伝達を行い、用紙さばき作用を行う際に、セパレートローラ１１による用紙搬送方向に対して、リタードローラ１２を逆方向に搬送するように回転させる。
【００１５】
前記セパレートローラ１１の軸に対してリタードローラ１２の軸芯を一致させるように位置決めするために、前記伝導用リンク４０の端部に設けたピン部材４４を介して中間リンク４５を着脱可能に組み合わせている。前記中間リンク４５はハンドル４８を手で持って装置の上側に移動可能に構成しているもので、上部の軸支部４６により、リタードローラ１２の軸１３を回転可能に支持し、下部の軸支部４７を前記ピン部材４４に対して着脱可能に支持している。そして、前記２つのリンク４０、４５をピン部材４４を介して位置決めすることにより、伝導ギヤ群４２の端部のギヤ４３を軸１３に設けたギヤと噛合せる状態を維持し、リタードローラ１２に対する駆動伝達を行わせる。したがって、前記中間リンク４５を介してリタードローラ１２の軸１３を支持させる手段を用いることにより、リタードローラ１２とセパレートローラ１１の接する押圧位置を、常に一定の位置に設定可能となり、両ローラが用紙をニップする位置が変化することがない。
【００１６】
前記駆動伝導機構に加えて、リタードローラ１２のセパレートローラ１１に対する押圧力を設定するために、図２および図３に示すような押圧力調整部材５０を設けており、調整用リンク５１と押圧板５５とを組み合わせて、ねじ部材５８とスプリング５９とにより押圧力の調整を行うようにする。前記調整用リンク５１は伝導用リンク４０に対して、リタードローラ１２の軸１３を介して反対側に配置されるもので、排出ローラ装置２５の駆動ローラ２７の軸２８に設けた軸支部５３を介して、中間フレーム３０のトレイ側に突出させて配置する。前記軸支部５３を介して揺動可能な調整用リンク５１の一端部は、リタードローラ１２の軸１３に設けた対応部材の下面に接する押圧部５２として構成され、他端部に固定した押圧板５５を設けており、前記押圧板からのスプリング５９による押圧作用によって、押圧部５２がリタードローラ１２の軸１３を下側から押圧する作用を行う。
【００１７】
前記押圧力調整部材５０における調整用リンク５１と押圧板５５およびスプリング等の調整部材は、図３に示すような構成の部材を組み合わせて設けているもので、調整用リンク５１の端部に固定されている押圧板５５は、後述するカバー部材３７を係止保持するための複数の爪挿入孔５６、５６ａ、５６ｂと、スプリング５９を設けたねじ部材５８に対するねじ孔５７を設けている。前記押圧板５５はフレーム枠体３１の端部に設けた凹部としての切欠部３２に対応する部分で、フレームの端部立上り部３３の上部を折り返して構成した水平部３３ａの下面に位置され、調整孔３４とねじ孔５７とが重なるように配置される。前記調整孔３４とねじ孔５７とに対応させて設けるねじ部材５８は、下端部のねじ部を押圧板５５のねじ孔５７に装着され、フランジ５８ａの上に配置するスプリング５９が、前記フレームの水平部３３ａとの間に位置される。
【００１８】
前記図２に示すように調整用リンク５１と押圧板５５とを組み合わせ、スプリング５９を配置した押圧力調整部材５０に対して、上カバー３５に設けた調整孔３６からドライバーのような工具を挿入し、ねじ部材５８を押圧板５５のねじ孔５７に挿入する高さを調整する。そして、前記フレームの上の水平部材３３ａに対して、ねじ部材５８の高さを調整することにより、スプリング５９を伸縮させ、前記スプリング５９による押圧力を調整し、押圧板５５を介して調整用リンク５１の押上部５２によるリタードローラ１２の軸１３に対する押圧作用を行わせる。前記押圧力調整部材５０のねじ部材５８の高さを適宜調整することにより、セパレートローラ１１とリタードローラ１２との間でのニップ圧力が一定の値に設定され、用紙さばき作用が良好に行われる。
【００１９】
前記押圧力調整部材５０が中間フレーム３０に対して、トレイ側の端部にまで突出された位置に配置されていることで、図１に示すような自動原稿搬送装置１においては、上部フレーム３を支軸４を中心に揺動させると、中間フレーム３０の上面が開放されて、調整孔３６から工具を挿入することができる。ところが、前記中間フレーム３０のトレイ側の端部に押圧力調整部材５０を設けたことにより、ねじ部材５８が排出路の上面に突出されるという問題が生じる。この問題は、中間フレーム３０を薄いものとして構成し、フレーム枠体３１の高さをできるだけ低く形成しようとする場合には特に顕著に発生し、排出ローラ装置２５により排出トレイ７２に向けて送り出される用紙に対して、ねじ部材５８の突出端部が邪魔することが想定される。そこで、本実施例においては、前記ねじ部材がフレーム枠体３１の下面に突出する凹部に対して、図示されるように、カバー部材３７をフレーム枠体３１の凹部としての切欠部３２に位置させ、ねじ部材５８の下端部が排出路に突出しないようにしている。
【００２０】
前記カバー部材３７を位置決めするために、カバー部材３７に設けた爪部材３９、３９ａ、３９ｂを、押圧板５５の爪挿入孔５６、５６ａ、５６ｂにそれぞれ挿入し、前記カバー部材３７が調整用リンク５１とともに上下動可能にする。また、前記カバー部材３７は、爪部材３９〜３９ｂの各々が押圧板５５の挿入孔５６〜５６ｂに対して上下方向に摺動可能に設けていることから、カバー部材３７の下面から押し上げるような力が付与された場合でも、調整用リンク５１を介しての軸１３に対する押圧作用には影響が生じない。
【００２１】
前記カバー部材３７は、プラスチック材料を用いて構成するもので、カバー部材３７の下面に用紙の移動方向に下向きの斜面部３８を設けて、排出ローラ装置２５により排出される用紙を、前記斜面部３８に沿わせて下向きに案内し、排出トレイ７２に堆積させるようにする。そして、前記排出トレイ７２に排出される用紙が、Ｕ字型搬送路を通って湾曲されるような力が付与されていても、排出トレイ７２に向けて送り出される部分で、カバー部材５７の斜面部５８で下向きに案内されるので、上に飛び跳ねるような作用が抑制される。したがって、排出トレイ７２に多数枚の用紙が収容されているような状態でも、その上に排出される用紙は、カバー部材３７により案内されながら排出されるので、排出トレイ７２での収容性を良好に維持できることになる。また、前記カバー部材３７は、フレーム枠体３１の端部の中央部に位置され、排出される用紙の中央部付近に対して押圧作用を付与するものであり、フレーム枠体３１に対する装着部と用紙を案内するための斜面部の構成は、任意に設定が可能である。
【００２２】
図４に示す例は、画像形成装置と一体に設けた読取装置６０の構成を示すもので、走査部フレーム６１には、図４に示すように構成した走査装置６３を設けている。前記走査装置６３は、従来より一般に知られている複写機の走査装置に用いられている装置と同様に、ランプ６４ａと１つのミラーｍ１を設けたフルレートキャリッジ６４と、２つの対向するミラーｍ２、ｍ３を配置するハーフレートキャリッジ６５とを組み合わせて設けている。そして、原稿の読取り情報をレンズ装置６８を介してＣＣＤ６９に伝達し、光信号を電気信号に変換して画像形成装置の画像情報処理部に伝達するように構成している。前記走査装置６３においては、フルレートキャリッジ６４とハーフレートキャリッジ６５とを駆動するために、径が２：１に設定された駆動プーリ６６、６６ａを同軸に配置し、各々の駆動プーリに巻き掛けたワイヤ６７、６７ａを介して、２つのキャリッジを各々連動させて移動させる機構を設けている。
【００２３】
前記フレーム６１の上部には、ブックものの原稿を載置し、ＦＢＳ（フラットベッドスキャナー）としての動作に対応させるプラテン６２と、ＡＤＦ（自動原稿搬送装置）に対応させて、原稿搬送部１の下部に配置するプラテン２３とを設けている。前記プラテン６２に対しては、上部開閉フレーム７０を開いて原稿をセットし、上部開閉フレーム７０を閉じることにより、プラテンカバー７３がプラテンの上面に原稿の画像面を押圧させて、セットした原稿の走査を行う。そして、前記プラテン６２にセットした原稿に対しては、図示を省略したセンサの検知情報に応じて、走査装置６３のフルレートキャリッジ６４が原稿の走査方向の長さだけ往復移動し、ハーフレートキャリッジ６５が前記フルレートキャリッジ６４の半分の速度で移動しながら画像情報の読取りを行い、ＣＣＤ６８を介して画像信号を出力する。
【００２４】
前記読取装置６０を用いて、原稿トレイ７１にセットした原稿の走査を行う際には、原稿を原稿トレイ７１にセットしたことを、図示を省略した検知手段の検知信号により制御装置を作動させること、またはコントロールパネルに原稿搬送部を用いた走査を行う指令を入力することにより行う。そして、前記読取り指令の信号に応じて、走査装置６３のフルレートキャリッジ６４をプラテン２３に対応する位置に停止させ、ハーフレートキャリッジ６５を走査部フレーム６３の左側の端部にまで移動させ、原稿トレイ７１から原稿を１枚ずつＵ型搬送路内へ搬送し、プラテン２３の部分で原稿の画像の読取りを行う。したがって、前記走査部フレーム６１に配置する走査装置においては、２つのプラテン６２、２３に対応させて走査装置をセットし、任意の原稿に対する読取りの動作を行うことができ、ファクシミリ装置の送信機能を利用して画像情報を送信すること、または、複写機の機能を利用して記録紙に印字することができる。なお、前記実施例に示される自動原稿搬送装置１を単独で用いる場合、および、前記自動原稿搬送装置１とＦＢＳとを一体化して構成する読取装置は、それを単独で読取装置として構成することができる。また、一般的には、画像形成装置に一体に組み合わせて設ける原稿読取り手段として、または、ファクシミリ装置の読取り装置として用いることができる。
【００２５】
前記図４に示す読取装置６０の例においても、図１〜３に示したように、用紙さばき装置１０におけるニップ圧力を調整する手段を設けること、および、排出トレイ７２に用紙を排出する部分にカバー部材３７を配置することで、用紙さばき作用と排出トレイに向けて排出する用紙の収容性を良好に設定できる。そして、前記押圧力調整部材５０に対して、ねじ部材５８の調節を行う場合には、上部フレーム３を開くと中間フレーム３０の上面が容易に露出されるので、調整作業を容易に行うことができる。また、Ｕ型搬送路内で用紙のジャムが発生した場合等には、中間フレーム３０を搬送ローラ装置１５の駆動ローラの軸１８（図２参照）を介して開放することで、ジャム処理を容易に行うことができる。
【００２６】
【発明の効果】
本発明の装置は、前述したように構成したものであるから、前記用紙搬送路の排出ローラ装置の下流側に押圧調整部材の取付け部として凹部が形成され、前記凹部に押圧力調整用のねじを設け、前記ねじを覆うためのカバーを設けたことにより、排出路の端部にねじが突出されることがなく、用紙の排出に支障が生じることがない。また、前記カバーが排出ローラ装置により送り出される用紙を、強制的に下方に向かわせる案内面を有することで、排出される用紙に対するガイド性を向上させることができる。さらに、カバーの前記取付け部としての凹部は、リタードローラの押圧力調整のためのねじ取付け部であることにより、押圧力調整部材の機構を簡単に構成することができる。
【図面の簡単な説明】
【図１】  自動原稿搬送装置の構造を示す説明図である。
【図２】  図１に配置する中間フレームの構成の説明図である。
【図３】  中間フレームの端部に配置する押圧力調整部材の説明図である。
【図４】  図１の機構を組み込んだ画像読取装置の説明図である。
【符号の説明】
１    自動原稿搬送装置、  ２    基部フレーム、  ３    上部フレーム、
５    ピックアップローラ、  ９    ガイド板、  １０    用紙さばき装置、
１１    セパレートローラ、  １２    リタードローラ、  １４    搬送路、
１５    搬送ローラ装置、  １６    ピンチローラ、  １７    駆動ローラ、
２０    湾曲路、  ２１    大径駆動ローラ、  ２３    プラテン、
２４    排出路、  ２５    排出ローラ装置、    ３０    中間フレーム、
３１    フレーム枠体、  ３２    切欠部、  ３３    端部立上り部、
３４    ねじ孔、  ３５    上カバー、  ３６    調整孔、
３７    カバー部材、  ３８    斜面部、  ４０    伝導用リンク、
４５    中間リンク、  ５０    押圧力調整部材、  ５１    調整用リンク、
５２    押上部、  ５５    押圧板、  ５７    ねじ孔、
５８    ねじ部材、  ５９    スプリング、  ６０    読取装置、
６２    プラテン、  ６３    走査装置、  ６４    フルレートキャリッジ、
６５    ハーフレートキャリッジ、  ６８    レンズ、  ６９    ＣＣＤ。
【図１】
0003965846.tif 000002
【図２】
0003965846.tif 000003
【図３】
0003965846.tif 000004
【図４】
0003965846.tif 000005